(57)【要約】【課題】安価で比較的単純な光学部品でフレアの発生量を減らす画像読取装置を提供する。【解決手段】照明ランプで原稿面を照明し、読取位置である原稿面からの反射光を導いて、結像手段により撮像素子上に結像させて原稿画像を読み取る光学系を有する画像読取装置であって、照明ランプと原稿面の間で、照明ランプの開口部分に形成される、少なくとも光沢透過部と反射防止部の２つとから構成される一方向透過反射手段を有する。【選択図】        図１
2005003822.tif 000002
【特許請求の範囲】
【請求項１】
照明ランプで原稿面を照明し、読取位置である前記原稿面からの反射光を導いて、結像手段により撮像素子上に結像させて原稿画像を読み取る光学系を有する画像読取装置であって、
前記照明ランプと前記原稿面の間に、一方向透過反射手段を有することを特徴とする画像読取装置。
【請求項２】
前記一方向透過反射手段は、前記照明ランプの開口部分に形成されることを特徴とする請求項１記載の画像読取装置。
【請求項３】
前記一方向透過反射手段は、少なくとも光沢透過部と反射防止部の２つとから構成されることを特徴とする請求項１または２記載の画像読取装置。
【請求項４】
前記一方向透過反射手段は、前記照明ランプの防護用フィルムであることを特徴とする請求項１または２記載の画像読取装置。
【請求項５】
前記光沢透過部は、照明ランプの防護用フィルムであることを特徴とする請求項３記載の画像読取装置。
【請求項６】
前記反射防止部は、照明ランプの防護用フィルムであることを特徴とする請求項３記載の画像読取装置。
【請求項７】
前記一方向透過反射手段は、多層から構成されることを特徴とする請求項１から４のいずれか１項に記載の画像読取装置。
【請求項８】
前記光沢透過部は、ガラスまたは高分子フィルムのいずれか一方のフィルタ材質で構成される、減光透過機能を備えていることを特徴とする請求項３または５記載の画像読取装置。
【請求項９】
前記反射防止部は、ガラスまたは高分子フィルムのいずれか一方のフィルタ材質で構成される、減光透過機能を備えていることを特徴とする請求項３または６記載の画像読取装置。
【請求項１０】
前記反射防止部は、ＡＲフィルタであることを特徴とする請求項３記載の画像読取装置。
【請求項１１】
前記反射防止部は、拡散層を含んでいることを特徴とする請求項３記載の画像読取装置。
【請求項１２】
前記一方向透過反射板は、板状、円筒形のランプを覆う形状、および前記ランプ開口部分付近を覆う形状のうちいずれか１つの形状であることを特徴とする請求項１から４のいずれか１項に記載の画像読取装置。
【請求項１３】
請求項１から１２記載のいずれか１項に記載の画像読取装置を有することを特徴とする画像形成装置。
【発明の詳細な説明】
【０００１】
【発明の属する技術分野】
本発明は、デジタルＰＰＣに搭載されたスキャナなどの画像読取装置および画像形成装置に関する。
【０００２】
【従来の技術】
従来の技術例として、特に本発明の対象であるフレア現象による読取画像品質低下の防止に関する装置である「画像読み取り装置」がある（例えば、特許文献１参照）。この発明は、フレアの発生量を減らすことを主眼としており、他に一般的に用いられているフレア現象の発生量を減らす手法として、スキャナに内蔵されている照明装置と原稿面の間に、原稿への照明光以外の余分な光を排除するための遮光板を設ける手法などが知られている。また、原稿の読み取り位置近傍に、読取位置以外の原稿面を照射する光源からの照射光を遮断する遮光板を設け、遮光板の原稿側は凸となる曲面形状にし、また、原稿側と光源側の面を異なる色にすることで、遮光板の光源側の面が原稿側の面よりも高い反射率を有する「画像読取装置」がある（例えば、特許文献２、３参照）。
【０００３】
【特許文献１】
特開平７−２８４７６３号公報
【特許文献２】
特開２００２−２４７２９７号公報
【特許文献３】
特開２００２−２７１５８０号公報
【０００４】
【発明が解決しようとする課題】
しかしながら、上記特許文献１から３記載の発明やその他の公知技術はすべて原稿面に到達した照明光が反射して、再度原稿を照明する再照明光を低減するための手法となっているが、レンズなど高価な光学部品を必要としており、低コスト化が困難であった。
【０００５】
デジタルＰＰＣなどに搭載されているスキャナは、原稿の濃度を正確に読み取ることが必要である。原稿読取濃度を決定する構成要素は、１．ＣＣＤなどの撮像素子の感度、２．レンズなど光学系による読取位置、３．ランプの発光量と、４．ランプと光学系と原稿を含めた総合的な照明光量の４つの要素がある。従来は特に４の総合的な照明光量に着目していなかった。
【０００６】
スキャナには照明装置が内蔵されており、一般的なスキャナではライン状に原稿を読み取り、これを走査することで２次元の画像を読み取っている。（線順次画像読取）その際、照明装置と原稿との距離が小さいため、図１３に示すように画像読取装置の照明装置（１−１）からの照明光（１−２）が原稿面（１−３）にあたって、リフレクタ（１−４）や照明装置（１−１）などのスキャナ内光学部品を反射して再度原稿を再照明する再照明光（１−５）を生じる現象があることが知られている。これを「フレア現象」と呼ぶ。照明装置から原稿面に到達する照明光を１次照明光、原稿面を反射して再度原稿面を照明する光を２次照明光とする。
【０００７】
このフレア現象が生じると、同一原稿濃度なのにその周辺の原稿濃度の差によって、スキャナ読取画像信号が変化する。これは２次照明光が原稿面で反射する際に原稿濃度によって反射光量が変化するため、１次照明光と２次照明光の合計である照明光が原稿濃度によって変わってしまうことから生じる。特に上記現象は、原稿において急激に濃度が変化する部位で目立つ。
【０００８】
特に近年キセノンランプなど、蛍光管（１−１）で開口部（１−６）があるランプを用いた照明装置が主流になっている。本ランプを搭載したスキャナの場合、照明光量を最大限得るためにランプの発光特性からランプをできるだけ原稿設置面に近づける構成を取ることになる。その際、再照明光の反射する光学部品として、ランプ自身の蛍光面（１−７）があり、再反射のほとんどがそこで発生していることが知られている。
【０００９】
図１４に実際にフレア現象が生じた読取画像例を示す。黒パターン部（２−１）に挟まれた境界部（２−２）が白パターン部（２−３）と比べて暗く読み取られている。原稿の白パターンは濃度が均一であるため、あきらかに読取画像としては劣化していることになる。（理想的には境界部（２−２）と白パターン部（２−３）は同じ明るさにならなければならない。）これは黒パターン部に挟まれた領域をスキャナが読んだ際、その両側が黒いため、２次照明光が白パターン部を読み取った場合と比較して相対的に減ってしまうためである。
【００１０】
全般に原稿反射率が低い領域ほどスキャナは暗く画像を読み取り、原稿反射率が高い領域ほどスキャナは明るく画像を読み取ることになる。つまり黒文字原稿において文字内の白部がスキャナ画像においては暗くなり、結果的にコントラストが低下して読みづらくなってしまうなどの不良となって認識される。これは２次照明光が基本的には原稿面で照明光が反射した位置を中心に再照明しており、そのため、原稿の急な濃度変化（白黒パターンの境界部など。）があった場所でより２次照明光の変化が大きくなってしまうからである。
【００１１】
そこで、スキャナの設計段階においては、原稿面を反射した２次照明光が再度原稿を照明しないように、光学系部品を黒く塗装したり、レイアウトを適正化したりするなどの対応をしている。しかし、２次照明光による再照明を完全にはなくせず、読取画像品質上の課題となっていた。特に文字部の周辺が急激に暗くなり、コピー画像などで地汚れが発生して、極端な画像品質劣化を招く場合があった。
【００１２】
本発明は、以上の問題を鑑みてなされたものであり、特にキセノンランプなど、蛍光管でかつ開口部を有している照明装置を搭載した画像読取装置において、一方向透過反射手段の反射吸収減光作用によって、原稿濃度の影響で２次照明光が変化して生じる濃度むらによる読取画像品質の低下を防ぐ画像読取装置および該画像読取装置を備えた画像形成装置を提供することを目的とする。
【００１３】
また、本発明は、安価で比較的単純な光学部品でフレアの発生量を減らす画像読取装置および該画像読取装置を備えた画像形成装置を提供することを目的とする。
【００１４】
【課題を解決するための手段】
かかる目的を達成するために、請求項１記載の画像読取装置は、照明ランプで原稿面を照明し、読取位置である原稿面からの反射光を導いて、結像手段により撮像素子上に結像させて原稿画像を読み取る光学系を有する画像読取装置であって、照明ランプと原稿面の間に、一方向透過反射手段を有することを特徴とする。
【００１５】
請求項２記載の画像読取装置は、請求項１記載の画像読取装置において、一方向透過反射手段は、照明ランプの開口部分に形成されることを特徴とする。
【００１６】
請求項３記載の画像読取装置は、請求項１または２記載の画像読取装置において、一方向透過反射手段は、少なくとも光沢透過部と反射防止部の２つとから構成されることを特徴とする。
【００１７】
請求項４記載の画像読取装置は、請求項１または２記載の画像読取装置において、一方向透過反射手段は、照明ランプの防護用フィルムであることを特徴とする。
【００１８】
請求項５記載の画像読取装置は、請求項３記載の画像読取装置において、光沢透過部は、照明ランプの防護用フィルムであることを特徴とする。
【００１９】
請求項６記載の画像読取装置は、請求項３記載の画像読取装置において、反射防止部は、照明ランプの防護用フィルムであることを特徴とする。
【００２０】
請求項７記載の画像読取装置は、請求項１から４のいずれか１項に記載の画像読取装置において、一方向透過反射手段は、多層から構成されることを特徴とする。
【００２１】
請求項８記載の画像読取装置は、請求項３または５記載の画像読取装置において、光沢透過部は、ガラスまたは高分子フィルムのいずれか一方のフィルタ材質で構成される、減光透過機能を備えていることを特徴とする。
【００２２】
請求項９記載の画像読取装置は、請求項３または６記載の画像読取装置において、反射防止部は、ガラスまたは高分子フィルムのいずれか一方のフィルタ材質で構成される、減光透過機能を備えていることを特徴とする。
【００２３】
請求項１０記載の画像読取装置は、請求項３記載の画像読取装置において、反射防止部は、ＡＲフィルタであることを特徴とする。
【００２４】
請求項１１記載の画像読取装置は、請求項３記載の画像読取装置において、反射防止部は、拡散層を含んでいることを特徴とする。
【００２５】
請求項１２記載の画像読取装置は、請求項１から４のいずれか１項に記載の画像読取装置において、一方向透過反射板は、板状、円筒形のランプを覆う形状、およびランプ開口部分付近を覆う形状のうちいずれか１つの形状であることを特徴とする。
【００２６】
請求項１３記載の画像形成装置は、請求項１から１２記載のいずれか１項に記載の画像読取装置を有することを特徴とする。
【００２７】
【発明の実施の形態】
以下、本発明の実施形態であるについて、添付図面を参照しながら詳細に説明する。図１〜１４は、本発明の画像読取装置の実施例を示すものである。
【００２８】
本発明の画像読取装置の基本構成について図１および図２を参照して説明する。図２は、画像読取装置の概略図であり、図１は側面から見た構成を表している。３−１４原稿は３−１３コンタクトガラス上に設置され、３−４レンズは３−９ランプの光、および、３−９ランプの光を受けた３−１０リフレクタの光が３−１１撮像領域に照射され、その反射光が３−２走行体１、および３−３走行体２内の３−１２折り返しミラーを通して３−４レンズによって３−５１次元撮像素子面に結像し、３−５１次元撮像素子が３−１１撮像領域の画像を一次元に取得する。
【００２９】
３−２走行体１と３−３走行体２は３−６モータによる駆動を、３−７駆動伝達手段を通じて受け、３−１３コンタクトガラス面において３−１１撮像領域と垂直方向に３−１３コンタクトガラス面に対する３−４レンズの結像位置が３−５１次元撮像素子面になる状態を保ちながら走行することで、３−１３コンタクトガラス上にある３−１４原稿画像を３−５１次元撮像素子にて２次元に取得する画像読取装置である。
【００３０】
通常撮像素子として１次元ＣＣＤが用いられ、３−４レンズは３−１３コンタクトガラス面に対して縮小して３−５１次元撮像素子上に結像している。３−２走行体１が走査する方向を副走査方向と呼び、３−５１次元撮像素子が読み取る画像方向を主走査方向と呼ぶ。通常スキャナの画像解像度はＤＰＩ（ドット／ｉｎｃｈ）で表され、デジタルＰＰＣに搭載されるスキャナは４００ないし６００ＤＰＩである場合が多い。
【００３１】
本発明の第１の実施例である画像読取装置の構成について図１、図３を参照して説明する。図３（ａ）に請求項１の画像読取装置の構成図を示す。原稿４−１を線状に照明するランプ４−２と、原稿４−１を保持するコンタクトガラス４−３と、ランプ４−２の照明光を反射して原稿４−１を照明するリフレクタ４−４と、ランプ４−２から原稿面に到達する照明光を一方向に透過して、原稿面などからの再反射光を防ぐ一方向透過反射板４−５（例えば、アクリル系樹脂などのコーティングをして光沢をつけたものや光沢度の高いガラスとそのガラスに反射防止手段であるＭｇＦ２  やＳｉＯ２  などで単層或いは多層の薄膜処理したもの、もしくはガラスにＡＲ（Ａｎｔｉ−Ｒｅｆｌｅｃｔｉｏｎ  ）フィルムを貼り付けた板状のもの、ガラスのかわりに透明フィルムでもよい）、原稿４−１を反射した光画像を１次元撮像装置３−５に結像させる結像手段のレンズ３−４からなる。
【００３２】
一方向透過反射板４−５は、ランプ４−２の照明光が照射される開口部全域を覆うようになっており、さらに読取位置４−９からレンズ３−４を通じて１次元撮像装置３−５へ到達する結像光を遮らない位置にある。
【００３３】
または、図３（ｂ）のように、ランプ開口部に、例えばＡＲコートと光沢のある熱収縮防護フィルムを施し、反射防止特性と光沢特性を持たせている。本来ランプ開口部は、全光線透過率９５％以上のガラスでできている場合がほとんどであり、これに反射防止層を塗布し、フィルムすることで、照明系のレイアウト上何ら負担を与える事無く、容易に反射防止と光沢特性を形成できる。プラスティックのＰＭＭＡでは、全光線透過率９３％、最小反射率４％に対して、反射防止処理後は、全光線透過率９８％以上、最小反射率０．５％以下になることが知られている（Ｖｏｌ．２４，Ｎｏ．１１  ２００２，Ｏ  ｐｌｕｓ  Ｅ，ｐ１２３３）。
【００３４】
また、一方向透過反射板４−５自体は、図５のような（ａ）板状のもの、（ｂ）円筒形のランプを覆う形状、（ｃ）ランプ開口部付近を覆う形状でもよい。一方向透過反射板４−５が、少なくとも２つ以上の高分子フィルム、ガラス、またはその組合せでもよい。
【００３５】
次に、本発明の第１の実施例である画像読取装置に係る、画像読取動作と作用について、図３、図４、および図５を参照して説明する。
【００３６】
ランプ側５−５から照射された照明光５−３が、一方向透過反射板４−５の反射防止層５−１での光の吸収減光、光沢層５−２により反射減光をされた後、リフレクタ４−４を反射するか、もしくは直接原稿４−１を照明する（反射防止層から光沢層へ入射する光の反射成分は微小なのでここでは無視する）。読取位置４−９の原稿濃度に応じた原稿面反射光５−４が、結像手段４−７のレンズを通じて撮像素子４−６のＣＣＤに結像し、原稿４−１を読み取る。読取位置周辺部４−１０にも照明光５−３は到達して、各部の原稿濃度に応じて拡散反射する。その拡散光４−１１の一部が一方向透過反射板４−５の光沢層５−２で反射減光された原稿面反射光５−４がランプ側４−２に入射し、そこの蛍光面に反射して、再度光沢層５−２で反射減光され、２次照明光５−６として再度原稿４−１を照明する。最初に読取位置に到達した光（１次照明光）は、一方向透過反射板４−５によって微小に減光されているのに対して、ランプ４−２の蛍光面を反射して再度原稿を照明する光（２次照明光）は、一方向透過反射板４−５内の反射減光４回と吸収減光３回によって約３倍減光されることになる。
【００３７】
つまり、一方向透過反射板４−５によって１次照明光に対して２次照明光をより反射吸収減光することができる。例えば一方向透過反射板４−５の反射防止層での減光率を１０％、光沢層の減光率を５％、光沢層の反射による減光率を１面につき４％とした場合、１次照明光は、一方向透過反射板４−５を１回、反射面１面を通過するので約１８％減光するのに対して、２次照明光は、一方向透過反射板４−５を２回、反射面３面を通過するので約３５％減光することになり、相対的により２次照明光を減光できていることになる（図４）。
【００３８】
また、１次照明光のうち原稿面で反射した約１０〜２０％（光学系に依存）が２次照明光として原稿面に戻ることが知られており、近似計算式は以下の通りである。
一方向透過反射板の透過率    ランプ→原稿：Ｘ（％）、原稿→ランプ：Ｙ（％）
一方向透過反射板を設置しない状態での１次照明光強度  Ｐ１
一方向透過反射板を設置しない状態での２次照明光強度  Ｐ２＝Ｐ１×１５％とすると、
一方向透過反射板を設置した状態での１次照明光強度  Ｐ１’
Ｐ１’＝Ｐ１×（  Ｘ／１００）
一方向透過反射板を設置した状態での２次照明光強度Ｐ２’
Ｐ２’＝  Ｐ１×（  Ｙ／１００）×（Ｘ／１００）２  ×１５％
【００３９】
ただし上記計算式は、２次照明光のすべてが、ランプ４−２の開口部から入射して蛍光面を反射した光であるとの設定であり、蛍光面以外での反射や、他の形式のランプではこの限りではない。
【００４０】
本実施例による照明光学系では、１次照明光に対する２次照明光を相対的に弱めることになり、原稿４−１の読取位置周辺４−１０の濃度によって増減される２次照明光を減らすことになる。つまり、原稿濃度の変化による照明光強度（１次照明光＋２次照明光）の変動を小さくすることになる。
【００４１】
一方向透過反射板４−５の透過率が低いほど相対的に２次照明光強度を低減できるが、１次照明光も減ってしまうため、原稿画像読取に十分な光量を得られなくなり、ＣＣＤのＳＮ低下によるノイズの増加なども発生するため、透過率はバランスによって決める必要が有る。もちろん請求項７のように多層構成にしても良い。
【００４２】
本発明の第２の実施例である画像読取装置の構成について図６を参照して説明する。上述第１の実施例の画像読取装置において、キセノンランプや蛍光ランプ等の蛍光管は、耐熱性のあるフィルムなどにより防護処理を施されている。そのフィルム自身に一方向透過反射機能をもたせるため、２層構造とし、反射防止手段として、例えば防護フィルムのランプ側にＡＲコートを施したり、フッ化マグネシウムなどの薄膜処理などを施したりして反射防止面を生成してもよい。
【００４３】
以上の構成により、第１の実施例である一方向透過反射手段の効果が得られる。もちろん、以下に説明する第５の実施例のように当該防護フィルムを２枚以上使ってもよい。
【００４４】
本発明の第３の実施例である画像読取装置の構成について、図７を参照して説明する。前記一方向透過反射手段の光沢透過部分が、図７に示すように光沢度の強い防護フィルムでランプを覆う構成でできている。反射防止手段である反射防止層は、例えば、ＡＲフィルム、フッ化マグネシウムなどの薄膜であり、ランプと防護フィルムにサンドウィッチされている構成である。ランプ開口面の防護フィルタ表面を、光沢度を高めるコーティングを施してもよい。
【００４５】
本発明の第４の実施例である画像読取装置の構成について、図８を参照して説明する。前記一方向透過反射手段の反射防止部分が、図８に示すように、例えばＡＲコートされた防護フィルムでランプを覆う構成でできている。光沢透過手段は、例えば、光沢度の高いフィルムであり、防護フィルム上に設置されている構成である。当然に粘着材を使用して接着してもよい。粘着材は、透明性、耐熱性の高いアクリル系、シリコン系、ウレタン、ポリビニルブチラール、エチレン酢酸ビニル系粘着材があるが、ここでは例えばアクリル系粘着材を用いる。
【００４６】
本発明の第５の実施例である画像読取装置の構成について図９を参照して説明する。一方向透過反射板は、図９のような、少なくとも２層以上の（ａ）板状のもの、（ｂ）円筒形のランプを覆う形状、（ｃ）ランプ開口部付近を覆う形状でもよい。例えば、光沢フィルムとＡＲフィルムまたはフッ化マグネシウムなどの薄膜処理の組合せが多層化したものである。または、２つ以上の高分子フィルム、ガラス、またはその組合せでもよい。照明光の計算式は以下の通り。
一方向透過反射板の透過率    ランプ→原稿：Ｘ（％）、原稿→ランプ：Ｙ（％）
一方向透過反射板の層数    ｎ
一方向透過反射板を設置しない状態での１次照明光強度  Ｐ１
一方向透過反射板を設置しない状態での２次照明光強度  Ｐ２＝Ｐ１×１５％とすると、
一方向透過反射板を設置した状態での１次照明光強度  Ｐ１’
Ｐ１’＝Ｐ１×（Ｘ／１００）ｎ
一方向透過反射板を設置した状態での２次照明光強度Ｐ２’
Ｐ２’＝Ｐ１×（  Ｙ  ／１００）×（  Ｘ  ／１００）２ｎ×１５％
【００４７】
本発明の第６の実施例である画像読取装置について、図１、図３（ｂ）、図１０を参照して説明する。一方向透過反射板の反射防止手段が、例えばＡＲフィルタで、光沢透過手段の減光透過機能が、例えばＮＤ（ニュートラル  デンシティ）フィルタで構成されている。ＮＤフィルタを２枚で片側を反射防止処理（例えばフッ化マグネシウムなどの薄膜処理など）したものでもよい。フィルタ材質は、ガラスでも耐熱性の高分子フィルムでもよい。
【００４８】
ランプ側から照射された照明光４−８が、一方向透過反射板４−５のＡＲフィルタでの光の吸収減光、ＮＤフィルタによる吸収減光をされた後、リフレクタ４−４を反射するか、もしくは直接原稿４−１を照明する。読取位置４−９の原稿濃度に応じた原稿面反射光５−４が、結像手段３−４のレンズを通じて撮像素子である１次元撮像装置３−５のＣＣＤに結像し、原稿４−１を読み取る。読取位置周辺部４−１０にも照明光４−８は到達して、各部の原稿濃度に応じて拡散反射する。その拡散光４−１１の一部が一方向透過反射板４−５の光沢面で反射減光、ＮＤフィルタで吸収減光された原稿面反射光がランプ側４−２に入射し、そこの蛍光面に反射して、再度光沢面で反射減光され、２次照明光５−６として再度原稿４−１を照明する。最初に読取位置に到達した光（１次照明光）は、一方向透過反射板４−５によって微小に減光されているのに対して、ランプ４−２の蛍光面を反射して再度原稿を照明する光（２次照明光）は、一方向透過反射板４−５（含むＮＤフィルタ）によって大幅に減光されることになる。
【００４９】
本発明の第７の実施例である画像読取装置の構成について、図３（ｂ）、図１１を参照して説明する。一方向透過反射板における反射防止手段の減光透過機能が、例えばＮＤフィルタで、光沢透過手段が光沢度の高いガラスまたはフィルムで構成されている。材質は、ガラスでも高分子フィルムでもよい。ＮＤフィルタの反射防止面側は、フッ化マグネシウムなどの薄膜処理などを行い、表面性を加工してもよい。
【００５０】
本発明の第８の実施例である画像読取装置の構成について、図１２を参照して説明する。一方向透過反射板の、例えば反射防止手段が拡散シートで光沢透過手段が光沢度の高いガラスまたはフィルムで構成されている。拡散層は、例えば、反射率の高い微小球を練りこんだもので、東レの白い液晶用拡散シートのようなものである。反射防止面側は、フッ化マグネシウムなどの薄膜処理などを行い、表面性を加工してもよい。
【００５１】
上述した本発明の各実施例である画像読取装置は、デジタルＰＰＣ等の画像形成装置に搭載することができる。
【００５２】
以上、本発明の実施形態によれば、次の各効果を有する。ランプから原稿に照射された光が反射して、ランプ内に到達して再度原稿を照明する現象が発生しても、２次照明光は、ランプ前面に設置された一方向透過反射手段の吸収反射減光作用により大きく遮光されるので、原稿の濃淡による２次照明光の影響がなくなり、高品質に原稿の画像を読み取ることができるといった効果を有する。
【００５３】
また、一方向透過反射手段が、ランプの開口部に直接形成されているので、照明光学系のレイアウトが容易で、小型にすることができ、同時に２次照明光を低減できるので、高品質に原稿の画像を読み取ることができるといった効果を有する。
【００５４】
また、一方向透過反射手段が、光沢透過手段と反射防止手段により形成されているので、原稿面を反射した照明光が反射防止面で反射して再度原稿面を照明する事が無くなり、より高品位に原稿面を照明できるといった効果を有する。
【００５５】
また、一方向透過反射手段が、ランプの防護フィルムに直接形成されているので、照明光学系のレイアウトが容易で、小型にすることができ、同時に２次照明光を低減できるので、より高品質に原稿の画像を読み取ることができるといった効果を有する。
【００５６】
また、一方向透過反射手段の光沢透過手段が、ランプの防護フィルムに直接形成されているので、照明光学系のレイアウトが容易で、小型にすることができ、同時に２次照明光を低減できるので、より高品質に原稿の画像を読み取ることができるといった効果を有する。
【００５７】
また、一方向透過反射手段の反射防止手段が、ランプの防護フィルムに直接形成されているので、照明光学系のレイアウトが容易で、小型にすることができ、同時に２次照明光を低減できるので、より高品質に原稿の画像を読み取ることができるといった効果を有する。
【００５８】
また、一方向透過反射手段は、多層化されているので、ランプから原稿に照射された光が反射して、ランプ内に到達して再度原稿を照明する現象が発生しても、前記２次照明光は、ランプ前面に設置された一方向透過反射手段の吸収反射減光作用により、多層化した分大きく遮光され、原稿の濃淡による２次照明光の影響がなくなり、より高品位に原稿面を照明できるといった効果を有する。
【００５９】
また、一方向透過反射手段の光沢透過手段が、ランプから原稿に照射された光が反射して、ランプ内に到達して再度原稿を照明する現象が発生しても、２次照明光は、ランプ前面に設置された光沢透過手段の減光透過機能による吸収減光作用により大きく遮光されるので、原稿の濃淡による２次照明光の影響がなくなり、より高品位に原稿面を照明できるといった効果を有する。
【００６０】
また、一方向透過反射手段の反射防止手段が、ランプから原稿に照射された光が反射して、ランプ内に到達して再度原稿を照明する現象が発生しても、２次照明光は、ランプ前面に設置された反射防止手段の減光透過機能による吸収減光作用により大きく遮光されるので、原稿の濃淡による２次照明光の影響がなくなり、より高品位に原稿面を照明できるといった効果を有する。
【００６１】
また、反射防止手段であるＡＲフィルタが、ランプから原稿に照射された光が反射して、ランプ内に到達して再度原稿を照明する現象が発生しても、１次照明光は、ランプ前面に設置された一方向透過反射手段の反射防止機能により減光が少なく、反対に２次照明光は、減光作用により大きく遮光されるので、原稿の濃淡による２次照明光の影響がなくなり、より高品位に原稿面を照明できるといった効果を有する。
【００６２】
また、一方向透過反射手段の反射防止手段が、拡散層を含むことにより、ランプから原稿に照射された光が反射して、ランプ内に到達して再度原稿を照明する現象が発生しても、２次照明光は、反射防止手段の光拡散機能により大きく減光されるので、原稿の濃淡による２次照明光の影響がなくなり、より高品位に原稿面を照明できるといった効果を有する。
【００６３】
【発明の効果】
本発明によれば、ランプから原稿に照射された光が反射して、ランプ内に到達して再度原稿を照明する現象が発生しても、２次照明光は、ランプ前面に設置された一方向透過反射手段の吸収反射減光作用により大きく遮光されるので、原稿の濃淡による２次照明光の影響がなくなり、高品質に原稿の画像を読み取ることができるといった効果を有する。
【図面の簡単な説明】
【図１】本発明の実施例である画像読取装置の側面を示す構成図である。
【図２】本発明の実施例である画像読取装置の構成を示す概略図である。
【図３】本発明の第１の実施例である画像読取装置を示す構成図である。
【図４】本発明の第１の実施例である画像読取装置の一方向透過反射機能に関する説明図である。
【図５】本発明の第１の実施例である画像読取装置の一方向透過反射手段に関する構成図である。
【図６】本発明の第２の実施例である画像読取装置のランプ防護フィルタと一方向透過反射手段に関する構成図である。
【図７】本発明の第３の実施例である画像読取装置のランプ防護フィルタと一方向透過反射手段に関する構成図である。
【図８】本発明の第４の実施例である画像読取装置のランプ防護フィルタと一方向透過反射手段に関する構成図である。
【図９】本発明の第５の実施例である画像読取装置の一方向透過反射手段に関する構成図である。
【図１０】本発明の第６の実施例である画像読取装置の一方向透過反射手段の機能に関する説明図である。
【図１１】本発明の第７の実施例である画像読取装置の一方向透過反射手段の機能に関する説明図である。
【図１２】本発明の第８の実施例である画像読取装置の一方向透過反射手段の機能に関する説明図である。
【図１３】フレア現象を説明するための、画像読取装置における照明関係図である。
【図１４】フレア現象が生じた画像読取装置による読取画像の例を示す図である。
【符号の説明】
１−１  照明装置（蛍光管）
１−２  照明光
１−３  原稿面
１−４  リフレクタ
１−５  再照明光
１−６  開口部
１−７  蛍光面
２−１  黒パターン部
２−２  境界部
２−３  白パターン部
３−１  原稿設置部
３−２  走行体１
３−３  走行体２
３−４  レンズ
３−５  一次元撮像装置
３−６  モータ
３−７  駆動伝達手段
３−８  画像信号出力ポート
３−９  ランプ
３−１０  リフレクタ
３−１１  撮像領域
３−１２  折り返しミラー
３−１３  コンタクトガラス
３−１４  原稿
４−１  原稿
４−２  ランプ
４−３  コンタクトガラス
４−４  リフレクタ
４−５  一方向透過反射板
４−８  照明光
５−１  反射防止層
５−２  光沢層
５−３  照明光
５−４  原稿面反射光
５−５  ランプ側
５−６  ２次照明光
５−７  反射光
【図１】
2005003822.tif 000003
【図２】
2005003822.tif 000004
【図３】
2005003822.tif 000005
【図４】
2005003822.tif 000006
【図５】
2005003822.tif 000007
【図６】
2005003822.tif 000008
【図７】
2005003822.tif 000009
【図８】
2005003822.tif 000010
【図９】
2005003822.tif 000011
【図１０】
2005003822.tif 000012
【図１１】
2005003822.tif 000013
【図１２】
2005003822.tif 000014
【図１３】
2005003822.tif 000015
【図１４】
2005003822.tif 000016